(57)【要約】【課題】  コンテンツに関するデータに対するユーザの感想、評価、注目度も併せて知ることのできる情報提供装置を提供する。【解決手段】  コンテンツデータと当該コンテンツデータの属性を示すローカルメタデータとが記録可能なＨＤＤ３５および光ディスク３９と、複数のコンテンツデータを選択する入力部４９と、選択されたコンテンツデータにおける参照データを取得するネットワークＩ／Ｆ５０と、ＨＤＤ３５および光ディスク３９におけるコンテンツデータの記録の有無、参照データおよび属性データに基づいて、当該コンテンツデータの再生制御または当該コンテンツデータにおける評価情報の提供の少なくとも一方を行うＣＰＵ４６と、を備える。【選択図】  図３
2005141847.tif 000002
【特許請求の範囲】
【請求項１】
コンテンツデータの評価を示す評価情報または当該コンテンツデータの再生・記録を管理するための管理情報の少なくとも何れか一方を有する参照データを用いることによって記録されているコンテンツデータを提供する情報提供装置であって、
前記コンテンツデータと当該コンテンツデータの属性を示す属性データとが記録可能な記録手段と、
複数のコンテンツデータを選択する選択手段と、
前記選択されたコンテンツデータにおける前記参照データを取得する取得手段と、
前記記録手段におけるコンテンツデータの記録の有無、前記参照データおよび前記属性データに基づいて、当該コンテンツデータの再生制御または当該コンテンツデータにおける評価情報の提供の少なくとも一方を行う再生・提供手段と、
を備えることを特徴とする情報提供装置。
【請求項２】
請求項１に記載の情報提供装置において、
前記再生・提供手段が、
前記記録手段に記録される属性データに基づいて前記記録手段におけるコンテンツデータの記録の有無を判断する判断手段と、
前記判断手段によって前記コンテンツデータが前記記録手段に記録されていると判断された場合に、前記参照データに含まれる管理情報に基づいて、前記コンテンツデータを再生させる制御手段と、
を更に備えたことを特徴とする情報提供装置。
【請求項３】
請求項１に記載の情報提供装置において、
前記再生・提供手段が、
前記記録手段に記録される属性データに基づいて前記記録手段におけるコンテンツデータの記録の有無を判断する判断手段を更に備え、
前記判断手段によって前記コンテンツデータが前記記録手段に記録されていると判断された場合に、当該コンテンツデータとともに当該コンテンツデータにおける評価情報を提供することを特徴とする情報提供装置。
【請求項４】
請求項１に記載の情報提供装置において、
前記再生・提供手段が、
前記記録手段に記録される属性データに基づいて前記記録手段におけるコンテンツデータの記録の有無を判断する判断手段を更に備え、
前記判断手段によって前記コンテンツデータが前記記録手段に記録されていないと判断された場合に、前記選択されたコンテンツデータの評価情報のみを提供することを特徴とする情報提供装置。
【請求項５】
コンテンツデータの評価を示す評価情報または当該コンテンツデータの再生・記録を管理するための管理情報の少なくとも何れか一方を有する参照データを用いることによって記録されているコンテンツデータを提供する情報提供方法であって、
前記コンテンツデータと当該コンテンツデータの属性を示す属性データとが記録可能な記録工程と、
複数のコンテンツデータを選択する選択工程と、
前記選択されたコンテンツデータにおける前記参照データを取得する取得工程と、
前記記録工程におけるコンテンツデータの記録の有無、前記参照データおよび前記属性データに基づいて、当該コンテンツデータの再生制御または当該コンテンツデータにおける評価情報の提供の少なくとも一方を行う再生・提供工程と、
を備えることを特徴とする情報提供方法。
【請求項６】
コンテンツデータの評価を示す評価情報または当該コンテンツデータの再生・記録を管理するための管理情報の少なくとも何れか一方を有する参照データを用いることによって記録されているコンテンツデータを提供する情報提供用プログラムであって、
コンピュータを、
前記コンテンツデータと当該コンテンツデータの属性を示す属性データとが記録可能な記録手段、
複数のコンテンツデータを選択する選択手段、
前記選択されたコンテンツデータにおける前記参照データを取得する取得手段、
前記記録手段におけるコンテンツデータの記録の有無、前記参照データおよび前記属性データに基づいて、当該コンテンツデータの再生制御または当該コンテンツデータにおける評価情報の提供の少なくとも一方を行う再生・提供手段、
として機能させることを特徴とする情報提供用プログラム。
【請求項７】
請求項６に記載の情報提供用プログラムが前記コンピュータにより読取可能に記録されていることを特徴とする情報記録媒体。
【発明の詳細な説明】
【技術分野】
【０００１】
本発明は、コンテンツデータの提供者が提供する当該コンテンツデータの再生および記録の少なくとも一方を管理するための管理データを用いることによって記録されているコンテンツデータを提供する情報提供装置、情報提供方法および情報提供用プログラム並びに情報記録媒体の技術分野に関する。
【背景技術】
【０００２】
近年、ハードディスクに放送コンテンツなどを記録するハードディスクレコーダが商品化され、普及しつつある。このハードディスクレコーダは、放送されている放送コンテンツをそのまま記録し、ユーザが希望する任意のタイミングにおいて視聴する機能を有している。また、このハードディスクレコーダは、記録媒体としてハードディスクが使用されているため、磁気テープに較べてランダムアクセスが容易であり、放送されたコンテンツの中の一部の映像のみを適宜ピックアップして再生するように編集することも可能となっている。
【０００３】
一方、放送衛星や通信衛星などの人工衛星を介して、デジタル化したテレビジョン信号を伝送し、各家庭においてこれを受信してテレビ番組を視聴するデジタル放送システムが運用されている。この種のシステムでは、多くの放送チャンネルを確保することができるので、非常に多数の番組を放送することができるようになっている。
【０００４】
このようなシステムでは、多数の番組の放送内容を示す番組情報、例えば、ＢＳ（Broadcasting Satellite）デジタル放送やＣＳ（Communication Satellite）デジタル放送における番組配列情報（以下、ＳＩ（Service Information）情報）などの当該放送コンテンツデータについて所定の情報を記述したデータ（以下、メタデータという。）を、ＴＶ番組の映像・音声情報（以下、映像・音声データという。）と共に衛星から各家庭のテレビジョン放送受信装置に送信するようになっている。
【０００５】
また、このシステムによって送信された放送コンテンツデータを受信する各テレビジョン放送受信装置は、映像・音声データをＴＶディスプレイに出力するとともに、メタデータを抽出し、当該メタデータを用いてユーザに対して様々なサービスを提供するようになっている。
【０００６】
従来、コンテンツデータの属性および管理情報を示すメタデータを用いて当該コンテンツデータを提供する放送受信録画装置などのコンテンツデータ提供装置としては、特許文献１に開示されたものがある。
【０００７】
この特許文献１に開示されたコンテンツデータ提供装置は、ＳＩ情報などの放送番組のコンテンツデータの属性を示す属性データの他に、ユーザの指示に基づいて受信した放送コンテンツデータを編集した際に、当該編集に対応する編集情報を、メタデータとして、ネットワークを介してサーバに設けられたデータベースに登録するようになっている。
【０００８】
その一方、当該コンテンツデータ提供装置は、他のユーザが登録した編集情報を有するメタデータを上記サーバからネットワークを介して受信し、当該受信したメタデータに基づいて、予め受信して記録されている当該メタデータにおけるコンテンツデータを再生するようになっており、他のユーザが登録したメタデータに基づいて放送コンテンツを提供することができるようになっている。
【０００９】
なお、上記サーバの映像データベースから送信されるメタデータには、広告映像が付加されている。
【特許文献１】特開２００３−１８５２９
【発明の開示】
【発明が解決しようとする課題】
【００１０】
しかしながら、上述した従来のコンテンツデータ提供装置にあっては、上記メタデータは、ネットワーク上を共通で流通するものであるため、当該メタデータにはコンテンツデータのユーザ固有の編集作業を規定する情報などの各ユーザ固有の情報を持つことができないので、ユーザ固有の情報を用いてコンテンツデータを提供することができないこととなる。
【００１１】
また、従来の装置では、メタデータにはコンテンツデータの再生区間と再生順序のみが規定されているため、当該メタデータに基づいてコンテンツデータの内容、再生方法だけしか知ることができず、当該コンテンツデータの評価などそれ以外のコンテンツデータに関する事項を知ることができないこととなる。
【００１２】
本発明は、上記事情を考慮してなされたもので、その目的の一例としては、コンテンツデータの内容、再生方法だけでなく、コンテンツデータに対するユーザの感想、評価および注目度も併せて知ることのできる情報提供装置、情報提供方法、情報提供用プログラムおよび記録媒体を提供することを目的とする。
【課題を解決するための手段】
【００１３】
上記の課題を解決するための本発明の１つの観点では、情報提供装置は、コンテンツデータの評価を示す評価情報または当該コンテンツデータの再生・記録を管理するための管理情報の少なくとも何れか一方を有する参照データを用いることによって記録されているコンテンツデータを提供する情報提供装置であって、前記コンテンツデータと当該コンテンツデータの属性を示す属性データとが記録可能な記録手段と、複数のコンテンツデータを選択する選択手段と、前記選択されたコンテンツデータにおける前記参照データを取得する取得手段と、前記記録手段におけるコンテンツデータの記録の有無、前記参照データおよび前記属性データに基づいて、当該コンテンツデータの再生制御または当該コンテンツデータにおける評価情報の提供の少なくとも一方を行う再生・提供手段と、を備える。
【００１４】
上記の課題を解決するための本発明の他の観点では、情報提供方法は、コンテンツデータの評価を示す評価情報または当該コンテンツデータの再生・記録を管理するための管理情報の少なくとも何れか一方を有する参照データを用いることによって記録されているコンテンツデータを提供する情報提供方法であって、前記コンテンツデータと当該コンテンツデータの属性を示す属性データとが記録可能な記録工程と、複数のコンテンツデータを選択する選択工程と、前記選択されたコンテンツデータにおける前記参照データを取得する取得工程と、前記記録工程におけるコンテンツデータの記録の有無、前記参照データおよび前記属性データに基づいて、当該コンテンツデータの再生制御または当該コンテンツデータにおける評価情報の提供の少なくとも一方を行う再生・提供工程と、を備える。
【００１５】
上記の課題を解決するための本発明のさらに他の観点では、情報提供用プログラムは、コンテンツデータの評価を示す評価情報または当該コンテンツデータの再生・記録を管理するための管理情報の少なくとも何れか一方を有する参照データを用いることによって記録されているコンテンツデータを提供する情報提供用プログラムであって、コンピュータを、前記コンテンツデータと当該コンテンツデータの属性を示す属性データとが記録可能な記録手段、複数のコンテンツデータを選択する選択手段、前記選択されたコンテンツデータにおける前記参照データを取得する取得手段、前記記録手段におけるコンテンツデータの記録の有無、前記参照データおよび前記属性データに基づいて、当該コンテンツデータの再生制御または当該コンテンツデータにおける評価情報の提供の少なくとも一方を行う再生・提供手段、として機能させることを特徴とする。
【００１６】
上記の課題を解決するための本発明のさらにまた他の観点では、情報記録媒体は、情報提供用プログラムが前記コンピュータにより読取可能に記録されていることを特徴とする。
【発明を実施するための最良の形態】
【００１７】
次に、本願を実施するための最良の形態について、図面に基づいて説明する。
【００１８】
なお、以下に説明する実施形態は、複数の放送受信録画装置が、それぞれ放送コンテンツを受信し、そのコンテンツデータを内蔵するハードディスクまたは光ディスクに記録する。
【００１９】
また、放送受信録画装置は、受信した放送コンテンツデータ（以下、単に、コンテンツデータという。）を内蔵したハードディスク（ＨＤ）または光ディスクに記録されるようになっており、コンテンツデータの属性など当該コンテンツデータについて所定の情報を記述したメタデータに基づいて、上記コンテンツデータの記録、当該記録されたコンテンツデータの再生、またはコンテンツデータに関する情報を提供するようになっている。
【００２０】
この放送受信録画装置は、メタデータの内、各ユーザが独自に使用するデータ（以下、ローカルメタデータという。）を生成するとともに、当該ローカルメタデータ以外のメタデータである参照データ（以下、公共メタデータという。）を、ネットワークを介してサーバから取得するようになっており、この放送受信録画装置には、上記ローカルメタデータおよび上記公共メタデータが、内蔵したハードディスクまたは光ディスクに記録される。
【００２１】
特に、本実施形態では、放送受信録画装置は、ネットワークを介して公共メタデータを受信し、当該公共メタデータと上記内蔵したハードディスクまたは光ディスクから読み出したローカルメタデータとを併せて、コンテンツデータの再生、その記録、または当該コンテンツデータに関する情報の提供を行うようになっている。
【００２２】
なお、この放送受信録画装置は、内蔵したハードディスクまたは光ディスクにローカルメタデータを記録し、公共メタデータの使用時、上記内蔵したハードディスクまたは光ディスクから読み出すようにしているが、以下の実施形態では、ローカルメタデータを、内蔵したハードディスクに記録し、公共メタデータの使用時に、上記内蔵したハードディスクから読み出す場合について説明する。
【００２３】
始めに、本実施形態における放送受信録画装置および公共メタデータを提供するサーバからなる情報提供システムの全体構成について、図１を用いて説明する。
【００２４】
なお、図１は、本実施形態におけるコンテンツ提供システムの概要構成例を示すブロック図である。
【００２５】
図１に示すように、本実施形態に係る情報提供システム１は、コンテンツデータに関する公共メタデータを提供するサーバ３と、当該コンテンツデータおよび公共メタデータを受信し、コンテンツデータまたは公共メタデータに基づいてコンテンツデータを提供する複数の放送受信録画装置４ａ〜４ｃと、から構成されており、サーバ３および複数の放送受信録画装置４ａ〜４ｃは、インターネットなどのネットワーク２を介してそれぞれ接続されている。
【００２６】
なお、本実施形態に係る情報提供システム１は、サーバ３を１台とし、放送受信録画装置４ａ〜４ｃを３台としたが、それらの接続台数は任意である。
【００２７】
サーバ３は、任意のコンテンツデータにおける公共メタデータを各放送受信録画装置４ａ〜４ｃに提供するとともに、それぞれ放送受信録画装置４ａ〜４ｃから送信された公共メタデータを受信する。つまり、当該公共メタデータは、全ての情報を含んだ状態で放送受信録画装置４ａ〜４ｃとサーバ３との間で送受信されるようになっている。
【００２８】
また、サーバ３は、受信した公共メタデータをコンテンツデータに対応付けて後述するデータベースに格納するようになっている。
【００２９】
なお、この公共メタデータは、後述するユーザ情報、評価／統計情報または再生制御情報（管理情報）など、すなわち、提供されたユーザ情報、評価／統計情報または再生制御情報などを示し、サーバ３は、これらユーザ情報、評価／統計情報または再生制御情報の何れか一方の情報を受信した際に、受信した情報により当該受信した情報が属する公共メタデータを更新するようになっている。
【００３０】
各放送受信録画装置４ａ〜４ｃは、それぞれコンテンツデータを受信し、当該受信したコンテンツデータを内蔵するハードディスクまたは光ディスクに記録し、対応するローカルメタデータを生成するようになっている。
【００３１】
また、各放送受信録画装置４ａ〜４ｃは、ユーザの指示に基づいて受信したコンテンツデータを編集し、当該編集に対応するコンテンツデータにおけるローカルメタデータを更新するとともに、上述した当該コンテンツデータを評価するコメントなどの評価／統計情報または当該コンテンツデータを編集した際の再生制御情報などの公共メタデータを生成するようになっている。
【００３２】
さらに、これらの各放送受信録画装置４ａ〜４ｃは、当該生成したローカルメタデータを内蔵したハードディスクまたは光ディスクに記録するとともに、公共メタデータを、ネットワーク２を介してサーバ３のデータベースに送信するようになっている。
【００３３】
一方、各放送受信録画装置４ａ〜４ｃは、他のユーザによって登録された公共メタデータを、ネットワーク２を介してサーバ３から受信すると同時に、内蔵するハードディスクまたは光ディスク内に記録されたローカルメタデータを読み出し、受信した公共メタデータおよびローカルメタデータに基づいて、当該公共メタデータに対応するコンテンツデータの再生を行うとともに、そのコンテンツデータの各種の情報を表示するようになっている。
【００３４】
次に、本実施形態のサーバ３の構成について図２を用いて説明する。なお、図２は図１のサーバ３の構成を示すブロック図である。
【００３５】
本実施形態のサーバ３は、上述のように、放送受信録画装置４ａ〜４ｃによって記録、編集されたコンテンツデータに対応する公共メタデータをネットワーク２を介して受信し、当該受信した公共メタデータが新規の場合には、内部に設けられたデータベースなどに新たに記録し、受信した公共メタデータが既に存在する場合には、該当する公共メタデータを更新してデータベースなどに記録する。
【００３６】
具体的には、サーバ３は、放送受信録画装置４ａ〜４ｃとの間で公共メタデータのユーザ情報、再生制御情報および評価／統計情報などの全ての情報を含んだ状態で送受信され、各ユーザにより各放送受信録画装置４ａ〜４ｃから提供された公共メタデータにおける後述する評価／統計情報の評価コメント、アクセス回数および評価平均値などの情報は、予め記録されている元データとは異なる新データで更新して記録することで、当該情報を得るようになっている。
【００３７】
また、各ユーザにより各放送受信録画装置４ａ〜４ｃから提供される公共メタデータにおけるユーザ情報および再生制御情報は、当該各ユーザが予め記録した元データを更新することによりサーバ３に提供されるようになっている。なお、このような公共メタデータは、各ユーザが番組録画情報における録画日時およびチャンネルを記録することにより一義的に生成されるようになっている。
【００３８】
さらに、サーバ３は、ユーザの指示に基づく放送受信録画装置４ａ〜４ｃの要求によって、公共メタデータを、ネットワーク２を介して放送受信録画装置４ａ〜４ｃに送信する。
【００３９】
そして、このサーバ３は、各放送受信録画装置４ａ〜４ｃとの公共メタデータの送受信に関し、各公共メタデータの送受信を行うことが許可されている放送受信録画装置４ａ〜４ｃを識別するための認証作業を行うようになっており、このサーバ３は、データベースなどの記録媒体に、各放送受信録画装置４ａ〜４ｃのユーザに対して認証に必要な情報を予め登録しておくようになっている。
【００４０】
本実施形態のサーバ３は、図２に示すように、各公共メタデータの送受信時に各部の動作を制御するＣＰＵ（Central Processing Unit）１１と、当該公共メタデータの送受信時の各プログラムが格納されるＲＯＭ（Read Only Memory）１２と、ハードディスクなどの記録媒体より構成される記憶部１３と、公共メタデータの送受信時、一時的に各種のデータまたはプログラムが記録されるＲＡＭ（Random Access Memory）１４と、入出力インタフェース１６と、を有している。
【００４１】
本実施形態では、このＣＰＵ１１は、ＲＯＭ（Read Only Memory）１２に記憶されているプログラム、または記憶部１３からＲＡＭ（Random Access Memory）１４にロードされたプログラムに従って各種の処理を実行する。ＲＡＭ１４にはまた、ＣＰＵ１１が各種の処理を実行する上において必要なデータなども適宜記憶される。
【００４２】
なお、ＣＰＵ１１、ＲＯＭ１２およびＲＡＭ１４は、バス１５を介して相互に接続されているとともに、記憶部１３は、入出力インタフェース１６を介してバス１５と接続され、ＣＰＵ１１、ＲＯＭ１２およびＲＡＭ１４と接続されている。
【００４３】
また、本実施形態のサーバ３は、キーボード、マウスなどよりなる入力部１７、ＣＲＴ、ＬＣＤなどよりなるディスプレイ並びにスピーカなどよりなる出力部１８、ハードディスクなどより構成される記憶部１３、モデム、ターミナルアダプタなどより構成される通信部１９を有し、入力部１７、出力部１８、通信部１９は、入出力インタフェース１６を介してバス１５と接続されている。
【００４４】
通信部１９は、ネットワーク２を介して放送受信録画装置４ａ〜４ｃに対して通信処理を行うようになっており、特に、公共メタデータの送受信における認証その他の通信処理を行う。
【００４５】
入出力インタフェース１６には、必要に応じて公共メタデータの送受信時の各処理を行うなどの各プログラムが格納されるドライブ２０が接続され、このドライブ２０に光ディスク２２などが適宜装着されるようになっている。このため、ＣＰＵ１１の指示に基づいて、光ディスク２２から読み出されたコンピュータプログラム、特に、本実施形態の場合には、後述する公共メタデータの送受信を行うためのプログラムが、必要に応じて記憶部１３にインストールされる。
【００４６】
データベース２１には、各放送受信録画装置４ａ〜４ｃから送信された公共メタデータが記録されるようになっており、ＣＰＵ１１の指示に基づいて、公共メタデータがデータベース２１に記録されるとともに、既に記録されている公共メタデータが読み出されるようになっている。
【００４７】
したがって、サーバ３は、各放送受信録画装置４ａ〜４ｃから送信された新規の公共メタデータを、通信部１９を介して受信してデータベース２１に記録する。具体的には、番組録画情報、ユーザ情報、再生制御情報および評価／統計情報の全ては、各放送受信録画装置４ａ〜４ｃから送信された新規の公共メタデータを受信してデータベース２１に記録する。
【００４８】
次に、本実施形態におけるサーバ３の動作について説明する。
【００４９】
サーバ３のデータベース２１または光ディスク２２には、放送受信録画装置４ａ〜４ｃのユーザに対して認証に必要な例えばＩＤとパスワードなどの情報が予め登録されており、当該登録されているＩＤとパスワードに基づいて、ＣＰＵ１１がそのユーザに対して認証することができた場合には、当該ＣＰＵ１１は、後述するユーザ情報、再生制御情報または評価／統計情報などの公共メタデータの登録、すなわち、公共メタデータの登録を許可する通知のメッセージを生成し、そのメッセージをメッセージ情報として通信部１９を介して放送受信録画装置４ａ〜４ｃに送信する。
【００５０】
また、ＣＰＵ１１に、放送受信録画装置４ａ〜４ｃから当該送信されたメッセージ情報に基づいて公共メタデータが送信されると、ＣＰＵ１１は、通信部１９を通して送信されてきた公共メタデータを受信するとともに、この受信した公共メタデータが新規の場合には、この公共メタデータを入出力インタフェース１６およびドライブ２０を介してデータベース２１に記録し、受信した公共メタデータが既に存在する場合には、入出力インタフェース１６およびドライブ２０を介して既存の公共メタデータの上書きを行う。
【００５１】
具体的には、ＣＰＵ１１は、送信されてきたユーザ情報、再生制御情報および評価／統計情報などの公共メタデータを、通信部１９を通してデータベース２１に記録することにより、当該公共メタデータをデータベース２１に順次別個に組み込むようになっている。
さらに、サーバ３は、後述するように、放送受信録画装置４ａ〜４ｃのユーザによって、取得を希望する公共メタデータが選択された場合には、当該選択された公共メタデータをデータベース２１または光ディスク２２から読み出し、入出力インタフェース１６、通信部１９およびネットワーク２を介して放送受信録画装置４ａ〜４ｃに送信する。
【００５２】
次に、本実施形態における放送受信録画装置４ａ〜４ｃの構成について図３および図４を用いて説明する。なお、図３は、図１の放送受信録画装置４の構成を示すブロック図であり、図４は、放送受信録画装置4が受信した放送コンテンツの一例を示す説明図である。また、放送受信録画装置４ａ〜４ｃを個々に区別する必要がない場合には、単に放送受信録画装置４と称する。
【００５３】
図３において、チューナ３１は、放送された放送コンテンツを含む電波を受信し、ベースバンド信号を復調器３２に出力する。この復調器３２は、チューナ３１より出力されたベースバンド信号を復調し、デコーダ３３に出力する。
【００５４】
このデコーダ３３は、復調器３２より入力された復調信号、またはハードディスクドライブ（ＨＤＤ）コントローラ３４、ハードディスクドライブ（ＨＤＤ）３５を介してハードディスク（ＨＤ）３６より読み出された信号を、例えば、ＭＰＥＧ（Moving Picture Expert Group）方式などに基づきデコードするとともに、映像信号をコンポーザ４０に出力し、音声信号をミキサ４１に出力する。
【００５５】
また同様に、デコーダ３３は、光ディスクコントローラ３７、光ディスクドライブ３８を介して光ディスク３９より読み出された信号を、例えば、ＭＰＥＧ方式などに基づきデコードするとともに、映像信号をコンポーザ４０に出力し、音声信号をミキサ４１に出力する。
【００５６】
コンポーザ４０は、デコーダ３３より入力される映像信号に、必要に応じてバス４２を介してグラフィックコントローラ４３により生成出力された映像信号を重畳し、モニタ４４に出力する。一方、ミキサ４１は、デコーダ３３より供給された音声信号に、必要に応じて他の音声信号を混合し、スピーカ４５に供給する。
【００５７】
なお、モニタ４４は、映像信号が入力されると、当該入力された映像信号に対応する画像を出力するとともに、スピーカ４５に、音声信号が入力されると、当該入力された音声信号に対応する音声を拡声する。
【００５８】
ＣＰＵ４６は、バス４２を介して放送受信録画装置4の各部を制御し、各種の処理を実行させる。ＲＯＭ４７には、ＣＰＵ４６が各種の処理を実行する上において必要なプログラムやパラメータなどが記憶されている。また、ＲＡＭ４８には、ＣＰＵ４６が各種の処理を実行する上において必要なプログラムやデータが記憶される。
【００５９】
一方、このＣＰＵ４６は、後述するように、入力部４９によって入力されたユーザの指示に基づいて、ハードディスク３６または光ディスク３９にコンテンツデータを記録するとともに、ローカルメタデータを生成する。また、ＣＰＵ４６は、記録されているコンテンツデータの編集を行うとともに、当該コンテンツデータにおける公共メタデータを生成する。
【００６０】
具体的には、例えばモニタ４４にコンテンツデータ編集画面（コンテンツプレイリスト、評価／統計情報入力テキストボックスなど）が表示され、入力部４９によってユーザが編集作業をすることにより、ＣＰＵ４６は、コンテンツデータを編集し、当該編集したコンテンツデータのユーザ情報、再生制御情報または評価／統計情報などの公共メタデータを生成する。
【００６１】
本実施形態では、ユーザの指示に基づいて記録されているコンテンツデータをオープニングにおける映像データ（以下、オープニングデータという。）と、コマーシャルを示す映像データ（以下、コマーシャルデータという。）と、次回の本編の予告を示す映像データ（以下、予告データという。）として素材の構成を示す情報を作成し、放送受信録画装置４のＣＰＵ４６は、ユーザが作成したオープニングデータ、コマーシャルデータ、予告データ、本編データの開始時刻および終了時刻のデータを生成し、同時にユーザが作成した属性情報などのメタデータとともに、公共メタデータを生成する。
【００６２】
この生成された公共メタデータは、ＣＰＵ４６により図６に示すＸＭＬ（eXtensible Markup Language）形式に記述され、当該ＸＭＬ形式の公共メタデータがサーバ３に送信される。また、ローカルメタデータは、コンテンツデータを記録する際に図７に示すＸＭＬ形式で生成される。
【００６３】
なお、受信される公共メタデータおよび生成されるローカルメタデータの詳細については、後述する。
【００６４】
入力部４９は、各種確認ボタン、各操作指令を入力する操作ボタン、テンキーおよびその他の数字キーなどの多数のキーにより構成されており、通信処理などの各種の操作を行うとともに、ユーザにより操作され、操作に対応する信号を、バス４２を介してＣＰＵ４６に出力する。
【００６５】
ネットワークインタフェース（Ｉ／Ｆ）５０は、ＣＰＵ４６の指示に基づいて、ネットワーク２を介して通信処理を実行し、特に、本実施形態では、サーバ３に格納された公共メタデータの受信、および、当該放送受信録画装置４によって生成された公共メタデータの送信を行う。
【００６６】
ハードディスクドライブコントローラ３４は、ハードディスクドライブ３５を制御し、必要なデータをハードディスク３６に記録させるとともに、記録されているデータを読み出させる。同様に、光ディスクコントローラ３７は、光ディスクドライブ３８を制御し、必要なデータを光ディスク３９に記録させるとともに、記録されているデータを読み出させる。
【００６７】
なお、例えば本実施形態のＣＰＵ４６は、本発明の再生・提供手段、判断手段および制御手段を構成し、入力部４９は、本発明の選択手段を構成し、ネットワークインタフェース５０が本発明の取得手段を構成し、ハードディスク（ＨＤ）３６または光ディスク３９が記録手段を構成する。また、本実施形態のモニタ４４およびスピーカ４５は、ＣＰＵ４６とともに本発明の再生・提供手段を構成する。
【００６８】
次に、本実施形態における放送受信録画装置４の動作について説明する。
【００６９】
放送受信録画装置４のユーザによって、入力部４９が操作され、所定のチャンネルのコンテンツデータの受信が指令され、入力部４９から、この指令の入力を受けると、ＣＰＵ４６は、チューナ３１を制御し、当該チューナ３１に指定されたチャンネルのコンテンツの電波を受信させる。
【００７０】
また、チューナ３１は、指定されたチャンネルの電波を受信すると、その受信信号を復調器３２に出力する。この復調器３２は、受信信号を復調し、デコーダ３３に出力する。
【００７１】
さらに、デコーダ３３は、復調信号をデコードし、映像信号を、コンポーザ４０を介してモニタ４４に出力する。また、デコーダ３３は、音声信号を、ミキサ４１を介してスピーカ４５に出力する。
【００７２】
このようにして、映像信号がモニタ４４に出力されるとともに、音声信号がスピーカ４５に出力されると、当該映像信号に対応する映像がモニタ４４に表示され、当該音声信号に対応する音声がスピーカ４５から拡声されるので、放送受信録画装置４のユーザは、所望のチャンネルの放送コンテンツを視聴することができる。
【００７３】
ユーザが受信した放送コンテンツの記録を指令した場合には、デコーダ３３より出力された信号が、ハードディスクドライブコントローラ３４または光ディスクコントローラ３７を介して、ハードディスクドライブ３５または光ディスクドライブ３８に供給され、内蔵するハードディスク３６または光ディスク３９に記録される。
【００７４】
また、この場合に、ＣＰＵ４６は、チューナ３１に、コンテンツデータとともに受信した当該コンテンツデータの属性などを示すＳＩ情報を抽出し、当該抽出したＳＩ情報をコンテンツデータとともに、内蔵するハードディスク３６または光ディスク３９に記録する。
【００７５】
なお、この記録動作は、映像信号と音声信号を、モニタ４４またはスピーカ４５から出力しない状態でも実行可能とされる。
【００７６】
ここで、内蔵するハードディスク３６または光ディスク３９に記録されるコンテンツデータについて図４を用いて説明する。
【００７７】
図４に示すように、コンテンツデータは、オープニングデータ、コマーシャルデータ（広告情報）、本編データおよび予告データから構成される画像データである。
【００７８】
例えば、図４に示すように、任意のコンテンツデータが記録された場合、ユーザがその内容から、各コンテンツデータにおける放送コンテンツの開始時刻を基準とする相対時間で、０分００秒から２分００秒の位置までをオープニングデータ、２分００秒から３分００秒の位置までをコマーシャルデータ（広告情報）、３分００秒から１５分００秒の位置までを本編（前編）データ、１５分００秒から１６分００秒の位置までをコマーシャルデータ、１６分００秒から２８分００秒の位置までを本編（後編）データ、２８分００秒から２９分００秒の位置までをコマーシャルデータ、２９分００秒から３０分００秒の位置までを予告データを素材構成情報として生成する。
【００７９】
また、この記録されたコンテンツデータは、コンテンツデータの記録時に取得した日時およびチャンネル情報に基づいて認識され、例えば、図４のコンテンツデータでは、２００３年６月２２日９時３０分から放送が開始され、２００３年６月２２日１０時００分に放送が終了した３０分間のＴＶチャンネルのデータであることが示され、ＣＰＵ４６は、この情報に基づいて、ローカルメタデータを生成する。
【００８０】
なお、ＣＰＵ４６は、この各データに基づいて編集された当該コンテンツデータに対応する公共メタデータを生成する。また、このＣＰＵ４６は、生成した公共メタデータを、ネットワークインタフェース５０を介してサーバ３に送信する。また、記録時に生成したローカルメタデータは、内蔵したハードディスク３６または光ディスク３９に記録するようになっている。
【００８１】
一方、ハードディスク３６または光ディスク３９に記録されているコンテンツデータの再生が、入力部４９の操作に基づいて指令されたとき、ＣＰＵ４６は、ハードディスクドライブコントローラ３４または光ディスクコントローラ３７を制御し、ハードディスクドライブ３５のハードディスク３６または光ディスクドライブ３８の光ディスク３９に記録されている、指定されたコンテンツデータを再生させる。
【００８２】
なお、指定されたコンテンツデータが再生される場合には、ハードディスク３６または光ディスクドライブ３８から出力されたコンテンツデータが、デコーダ３３によってデコードされ、当該コンテンツデータにおける映像信号がコンポーザ４０を介してモニタ４４に出力されるとともに、当該コンテンツデータにおける音声信号がミキサ４１を介してスピーカ４５に出力される。
【００８３】
所定のチャンネルのコンテンツデータを視聴される場合と同様に、映像信号がモニタ４４に出力されるとともに、音声信号がスピーカ４５に出力されることによって、当該映像信号に対応する映像がモニタ４４に表示され、当該音声信号に対応する音声がスピーカ４５から拡声されるので、放送受信録画装置４のユーザは、所望のチャンネルのコンテンツデータを視聴することができる。
【００８４】
また、放送受信録画装置4は、ユーザの指示に基づいて、ハードディスク３６または光ディスク３９に記録したコンテンツデータを必要に応じて編集し、その編集状態をローカルメタデータまたは公共メタデータとして、ハードディスク３６または光ディスク３９に記録する。
【００８５】
ここで、ユーザ情報、再生制御情報または評価／統計情報などの公共メタデータを生成するには、例えばモニタ４４にコンテンツデータ編集画面（コンテンツプレイリスト、評価／統計情報入力テキストボックスなど）を表示させ、入力部４９によってユーザが編集作業をすることにより、ＣＰＵ４６は、コンテンツデータを編集し、当該編集したコンテンツデータの公共メタデータを生成する。
【００８６】
さらに、ユーザ情報、再生制御情報または評価／統計情報などの公共メタデータは、ＣＰＵ４６により図６に示すＸＭＬ形式のデータ構造に記述され、当該ＸＭＬ形式のデータ構造からなる公共メタデータがサーバ３に送信される。
【００８７】
次に、放送受信録画装置４が受信する公共メタデータおよびローカルメタデータについて図５〜図７を用いて説明する。
【００８８】
なお、図５Ａ，図５Ｂは放送コンテンツのメタデータの概略構造を示す説明図であり、図６および図７はそれぞれ図５Ａ，図５Ｂのメタデータの詳細を示す説明図である。
【００８９】
図５Ａに示すように、公共メタデータ５１は、コンテンツデータを編集した際の再生制御情報を提供したユーザの情報（以下、ユーザ情報という。）５２と、コンテンツデータの属性を示す情報（以下、番組録画情報という。）５３と、コンテンツデータにおける画像データなどの素材の情報（以下、素材構成情報という。）５４と、コンテンツデータが編集された際の再生制御の情報（以下、再生制御情報という。）５５と、コンテンツデータの各ユーザの評価・統計を示す情報（以下、評価/統計情報という。）５６と、から構成される。
【００９０】
図５Ａに示すユーザ情報５２には、当該公共メタデータが属するコンテンツデータを編集した編集者またはこのコンテンツデータに対して評価を行った複数のユーザの情報が記録され、具体的には、編集者または評価を行ったユーザ（＜Editor＞（編集者））の名称の識別情報である＜ID＞（個人認証）、その名称を示す＜Name＞（氏名）、その性別を示す＜Sex＞（性別）、その年齢を示す＜Age＞（年齢）の各情報が記述される。すなわち、ユーザ情報５１には、コンテンツデータを編集し、再生制御情報５５など編集に用いられる情報を提供したユーザを識別するための情報、コンテンツデータを編集した編集者の氏名、性別、年齢などの各情報が記述されるとともに、番組の感想または評価を寄せたユーザを特定するためのユーザの情報もユーザ情報５２として記述される。
【００９１】
例えば、ユーザ情報５２には、図６に示すように、２名の編集者におけるユーザの情報が記録されるようになっており、図６に示すユーザ情報５１には、＜Editor＞（編集者）の＜ID＞（個人認証）に０００１、＜Name＞（氏名）にYamada.Taro、＜Sex＞（性別）にMan（男性）、＜Age＞（年齢）に３０〜４０歳が記録されているとともに、＜Editor＞（編集者）の＜ID＞（個人認証）に０００２、＜Name＞（氏名）にKato.Hanako、＜Sex＞（性別）がWoman（女性）、＜Age＞（年齢）が２０〜３０歳である情報が記録されている。
【００９２】
また、放送受信録画装置４は、これらのユーザ情報５２を取得すれば、当該ユーザ情報５２によって任意のユーザが特定されるので、当該特定されたユーザが編集したコンテンツデータの一覧や種々のコンテンツデータにおける当該ユーザの感想の一覧など各種のコンテンツデータに関する公共メタデータを取得することが可能となる。
【００９３】
番組録画情報５３には、当該公共メタデータが属するコンテンツデータを特定する情報として、録画した番組のタイトル、録画日、録画チャンネルなどの情報が記述されており、具体的には、当該公共メタデータが属するコンテンツデータのタイトルを示す＜Main＞（メインタイトル）、そのサブタイトルがある場合には当該サブタイトルを示す＜Sub＞（サブタイトル）、連続ドラマの場合の放送回の番号を示す＜Serial＞（通し番号）、当該コンテンツデータが属するジャンルを示す＜Category＞（カテゴリー）、当該コンテンツデータが放送された日時を示す＜RecDate＞（記録日）、当該コンテンツデータが放送されたチャンネルを示す＜Channel＞（録画チャンネル）、当該コンテンツデータの公共メタデータのファイル名を示す＜PAFFile＞（ファイル名）の各情報が記述されている。
【００９４】
例えば、番組録画情報５３には、図６に示すように、＜Main＞（メインタイトル）にAtomic Boy、＜Sub＞（サブタイトル）にGiant come back、＜Serial＞（通し番号）に１２、＜Category＞（カテゴリー）にAnimation、＜RecDate＞（記録日）に2003.06．22 09:30-10:00、＜Channel＞（録画チャンネル）にXTV、＜PAFFile＞（ファイル名）にxtv＿2003.0622＿0930＿1000.pafの情報が記録されている。
【００９５】
なお、放送受信録画装置４は、番組録画情報５３を用いれば、サーバ３内に記録された番組の放送日別、タイトル別、ジャンル別の表示やこの情報をキーワードにした検索が可能となる。
【００９６】
また、この番組録画情報５３とは、上述したＳＩ情報と原則的には同様の情報であり、コンテンツデータを特定するとともに、その属性を示す情報を示す。
【００９７】
素材構成情報５４には、公共メタデータが属するコンテンツデータの実際の音声情報を含む映像情報を特定するための情報が記述されており、具体的には、当該映像情報のファイル名称を示す＜Clip Name＞および当該映像情報の時間の情報を示す＜Clip Duration＞が記述されている。
【００９８】
具体的には、＜Clip Name＞には、録画した番組のオープニング、コマーシャル（CM）、本編および予告編などの映像情報を特定するためのファイル名が記述され、＜Clip Duration＞には、録画した番組における全体の録画時間に対する相対時間情報が記述されている。
【００９９】
例えば、図４に示すコンテンツデータの場合に、素材構成情報５４には、図６に示すように＜Clip Name＞にオープニング、＜ClipDuration＞に00:02:00:00が記述され、＜Clip Name＞にＣＭ、＜ClipDuration＞に00:01:00:00が記述される。これにより、この映像情報は、図４に示すように、０分００秒から２分００秒の位置までのオープニングにおける映像情報であることを表すとともに、２分００秒から３分００秒の位置までをコマーシャルデータ（広告情報）であることを表す。
【０１００】
なお、その他、本編（前編）、本編（後編）、コマーシャルおよび予告も同様に記述されている。
【０１０１】
また、本実施形態の素材構成情報５４における各映像情報は、オープニング、コマーシャルなどの区分毎の映像情報の纏まりだけでなく、チャプターなどさらに細分化した映像情報の纏まりよって構成されてもよい。
【０１０２】
再生制御情報５５には、当該公共メタデータが属するコンテンツデータにおいて、ユーザ情報５１に記録された上述の編集者が当該コンテンツデータの素材構成情報５４を表したデータの再生順序を示す情報が記録されており、具体的には、当該編集されたコンテンツデータの名称を示す＜PlayListName＞（再生名称）、当該コンテンツデータに係る素材情報５４の再生順序を示す＜ClipOrder＞（再生順序）、当該編集されたコンテンツデータを再生するに当たり編集者が提供するコメントの情報である＜PlayListComment＞（再生コメント）、当該編集されたコンテンツデータの再生された回数の情報である＜PlayListCount＞（再生カウント）の各情報が記述される。
【０１０３】
なお、再生制御情報５５は、素材構成情報５４で記述したタグを用いて番組の再生方法が記述されている。
【０１０４】
例えば、再生制御情報５５には、図６に示すように、＜PlayListName＞（再生名称）にオリジナル、＜ClipOrder＞（再生順序）に１，２，３，４，５，６、＜PlayListComment＞（再生コメント）にオリジナル再生、＜PlayListCount＞（再生カウント）に１である情報が記録され、これは、素材構成情報５４で表したデータを先頭から最後まで順番に再生することを示す。
【０１０５】
評価/統計情報５６には、当該公共メタデータが属するコンテンツデータに対する感想や評価、放送コンテンツのメタデータの使用回数、さらに番組に感想や評価を寄せたユーザに対する評価、コメントなどユーザの評価および統計に関する情報が記録される。
【０１０６】
具体的には、評価/統計情報５６には、当該公共メタデータのユーザからのアクセス回数を示す＜PAFCount＞（放送コンテンツのメタデータのアクセス回数）、後述するユーザの番組に対する５段階評価の平均値を表した＜PAFValueAve＞（評価平均値）、当該コンテンツデータに対して寄せられたユーザのコメントと評価情報のペアの数を示す＜PAFCommentNum＞（コメント・評価情報ペア数）、当該コンテンツデータに対するユーザのコメントを示す＜PAFComment＞（番組に対するコメント）、の各情報が記述されている。
【０１０７】
例えば、評価/統計情報５６には、図６に示すように、＜PAFCount＞（放送コンテンツのメタデータのアクセス回数）に５回、＜PAFValueAve＞（評価平均値）に４．５、＜PAFCommentNum＞（コメント・評価情報のペア数）に２回、＜PAFComment＞（番組に対応するコメント）にＩＤ０００１の編集者のコメントとして「見ると勇気が与えられます。」、ＩＤ０００２の編集者のコメントとして「後半が特に感動しました。」というテキストの情報が記録されている。
【０１０８】
なお、放送受信録画装置４は、評価/統計情報５６を取得すると、後述のように、当該放送受信録画装置４によってユーザに当該評価／統計情報５６を提供することができるので、ユーザは、番組に対する評判や注目度を知ることができるとともに、自分もその論議に参加することができる。特に、評価/統計情報５６のPAFCountタグは、当該公共メタデータのアクセス回数を表していることから、番組の注目度を知ることができる。
【０１０９】
一方、図５Ｂに示すように、ローカルメタデータは、ローカル情報５７から構成されており、放送受信録画装置４に録画してあるコンテンツデータのファイル名および当該コンテンツデータの編集した内容を示す情報などの各情報が記録され、ユーザがハードディスク３６上に記録したコンテンツデータとサーバ３に記録された公共メタデータとの対応付けを行う際に用いられる。
【０１１０】
このローカル情報５７には、ユーザが番組を光ディスク３９に記録した場合には、その光ディスク３９を特定するために光ディスクにつけたタイトル名情報と、DeletePositionタグを用いてユーザがハードディスク３６上に記録した番組にコマーシャルの削除などの編集を加えることにより、サーバ３上のメタデータとの差異が生じた場合には、その差異を補正する情報とを記述する。
【０１１１】
具体的には、ローカル情報５７には、＜SourceFile＞（録画ファイル名）、＜LocalFile＞（ローカルファイル）、＜MasterFile＞（番組情報共通ファイル名）、＜BackupDiscTitle＞（光ディスク３９にバックアップした場合にその光ディスクを識別するために付与したタイトル）、＜DeletePosition＞（削除部分）の各情報が記述されている。
【０１１２】
すなわち、ローカル情報５７には、放送コンテンツのハードディスク上のファイル名、放送コンテンツを光ディスクにバックアップした場合のそのディスクに付けたタイトル、作成日などの各ユーザが独自に使用する情報が記述されている。
【０１１３】
例えば、ローカル情報５１は、図７に示すように、＜SourceFile＞（録画ファイル名）にxtv＿2003.0622＿0930＿1000.ts、＜LocalFile＞（ローカルファイル）にxtv＿2003.0622＿0930＿1000.lpaf、＜BackupDiscTitle＞（光ディスク３９にバックアップした場合にその光ディスクを識別するために付与したタイトル）にAtomic＿Boy＿#1、＜DeletePosition＞（削除部分）に00:02:00:00-00:03:00:00という情報が記録されている。
【０１１４】
なお、この＜DeletePosition＞（削除部分）に記録された00:02:00:00-00:03:00:00という情報は、図４に示す２分００秒から３分００秒の位置までをコマーシャルデータ（広告情報）が削除されたことを示す。
【０１１５】
なお、ローカル情報５７を用いれば、ユーザがハードディスク３６上に記録した番組とサーバ３上の放送コンテンツのメタデータとの対応付けをすることができる。また、ユーザが番組を光ディスク３９にバックアップした場合には、その光ディスク３９を特定するためのタイトル情報をモニタ４４に表示する。さらに、DeletePositionタグを用いてユーザがハードディスク３６上に記録した番組にコマーシャルの削除などの編集を加え、サーバ３上のメタデータとの差異が生じた場合には、その差異を補正する情報を記述する。
【０１１６】
このようにローカル情報５７は、放送受信録画装置４のメタデータの使用時、内蔵したハードディスク３６または光ディスク３９から読み出され、ネットワーク２を介してローカル情報５７以外の公共メタデータをサーバ３から受信し、その公共メタデータと併せて使用するものである。また、ローカル情報５７は、ユーザ固有の情報であるため、各ユーザがそれぞれ独自で持つことができる。
【０１１７】
次に、放送受信録画装置４によって生成された公共メタデータをサーバ３に登録させる登録処理について図８を用いて説明する。
【０１１８】
なお、図８はサーバの公共メタデータの登録処理を示すフローチャートである。
【０１１９】
図８に示すように、サーバ３のＣＰＵ１１は、ステップＳ１において、通信部１９を介して放送受信録画装置４からのアクセスを受けると、記憶部１３に記憶されているＩＤとパスワードの送信を要求するメッセージ画面を読み出し、通信部１９からネットワーク２を介して、当該メッセージ画面の情報を放送受信録画装置４に送信させる。
【０１２０】
このとき、放送受信録画装置４では、当該メッセージ画面がモニタ４４に表示され、ユーザのＩＤとパスワードの入力を促す。また、放送受信録画装置４において、入力部４９によってＩＤおよびパスワードが入力されと、ネットワークインタフェース５０によって入力されたＩＤおよびパスワードがネットワーク２を介してサーバ３に送信される。
【０１２１】
次いで、通信部１９が放送受信録画装置４から送信されたＩＤおよびパスワード受信すると、ＣＰＵ１１は、ステップＳ２において放送受信録画装置４ａと通信部１９を介してユーザ認証を行う。
【０１２２】
具体的には、ＣＰＵ１１は、通信部１９を介して放送受信録画装置４からのＩＤとパスワードを受信すると、これらＩＤとパスワードをデータベース２１に予め記憶されているユーザのＩＤとパスワードとを比較する。
【０１２３】
当該放送受信録画装置４から送信されたＩＤおよびパスワードと、データベース２１に予め記憶されているユーザのＩＤとパスワードを比較した結果、これらの両者が一致した場合（ステップＳ２；ＹＥＳ）には、ＣＰＵ１１は、放送受信録画装置４を操作するユーザを認証することができたと判定し、ステップＳ３に進み、ＣＰＵ１１は、公共メタデータ登録を許可する通知のメッセージを生成し、通信部１９を介して放送受信録画装置４に送信させる。
【０１２４】
このとき、ＣＰＵ１１には、公共メタデータ登録許可通知に対応して放送受信録画装置４から公共メタデータが送信されてくるので、この公共メタデータを通信部１９を介して受信する（ステップＳ４）。
【０１２５】
これに対して、ステップＳ２において、放送受信録画装置４から送信されてきたＩＤおよびパスワードが、記憶部１３に予め記憶されているＩＤ及びパスワードと一致しない場合（ステップＳ２；ＮＯ）には、ＣＰＵ１１は、放送受信録画装置４ａを操作するユーザを認証することができなかったと判定し、ＣＰＵ１１は登録不許可を通知するメッセージを生成し、通信部１９から放送受信録画装置４ａに送信させる（ステップＳ５）。
【０１２６】
一方、サーバ３のＣＰＵ１１は、ステップ４において公共メタデータを受信すると、当該受信した公共メタデータが新規なデータであるか否かを判断し（ステップＳ６）、受信した公共メタデータが新規な場合（ステップＳ６；ＹＥＳ）には、ＣＰＵ１１は公共メタデータの新規登録を実行する（ステップＳ７）。一方、受信した公共メタデータが新規でない場合（ステップＳ６；ＮＯ）には、ＣＰＵ１１は、公共メタデータの修正登録を実行する（ステップＳ８）。
【０１２７】
なお、この公共メタデータの新規登録および修正登録は、上述のように、図６に示したＸＭＬ形式のデータを新規登録する場合には、入出力インタフェース１６およびドライブ２０を介してデータベース２１に記録し、ＸＭＬ形式のデータを修正登録する場合には、入出力インタフェース１６およびドライブ２０を介してデータベース２１上の既に存在する公共メタデータの上書きを行う。
【０１２８】
以上のようにして、サーバ３の記憶部１３には、多くの放送受信録画装置４から、そのユーザが生成した公共メタデータが送信されてきて登録される。
【０１２９】
次に、放送受信録画装置４における公共メタデータの取得処理について図９〜図１０を用いて説明する。
【０１３０】
なお、図９は本願の放送受信録画装置の公共メタデータ取得処理における第１の処理を示すフローチャートであり、図１０は本願の放送受信録画装置の公共メタデータ取得処理における第２の処理を示すフローチャートである。
【０１３１】
図９に示すように、ステップＳ１１においてＣＰＵ４６は、入力部４９を介してユーザからサーバ３に対するアクセスの指令が入力されると、ネットワークインタフェース５０を介してサーバ３にアクセスする。
【０１３２】
このとき、サーバ３では、通信部１９を介して放送受信録画装置４からのアクセスを受けると、記憶部１３に記憶されているＩＤとパスワードの送信を要求するメッセージ画面を読み出し、通信部１９からネットワーク２を介して、当該メッセージ画面の情報を放送受信録画装置４に送信させる。
【０１３３】
なお、ネットワークインタフェース５０がサーバ３から送信されたＩＤとパスワードの入力を促すメッセージ画面の情報を受信すると、すなわち、サーバ３によってＩＤとパスワードの送信の要求が為されると、ＣＰＵ４６は、ＩＤとパスワードの入力を促すメッセージ画面をモニタ４４に表示させ、ユーザにその入力を促す。
【０１３４】
次いで、放送受信録画装置４のユーザが、この表示に基づいて、入力部４９を用いてＩＤとパスワードを入力すると、ＣＰＵ４６には、当該ＩＤとパスワードが入力され、このＣＰＵ４６は、ネットワークインタフェース５０を介してサーバ３に送信させ、サーバ３にユーザ認証をさせる（ステップＳ１２）。
【０１３５】
このとき、サーバ３は、上記ＩＤとパスワードに基づいて、上述の公共メタデータの登録処理と同様に、認証処理を行い、正しくユーザ認証がなされた場合には、その旨とともに、公共メタデータの多数のファイル名とそのファイル名に対応する放送コンテンツのメタデータの番組録画情報をメタデータの一覧として当該放送受信録画装置４に送信し、正しくユーザ認証がなされなかった場合には、その旨を当該放送受信録画装置４に送信する。
【０１３６】
上記ステップ１２において、正しい認証結果が得られなかった場合（ステップＳ１２；ＮＯ）には、ＣＰＵ４６は、ネットワークインタフェース５０を介して正しい認証ができなかった旨を受信し、当該ＣＰＵ４６は、この旨に基づいてエラー処理を実行する（ステップＳ１３）。すなわち、この場合には、放送受信録画装置４のユーザは、メタデータを取得することができないので、ＣＰＵ４６は、図９のＣを経て公共メタデータ取得処理を終了させる。
【０１３７】
一方、上記ステップ１２において、正しい認証結果が得られた場合（ステップＳ１２；ＹＥＳ）には、ＣＰＵ４６は、サーバ３によって送信された公共メタデータの一覧のデータを受信し、ジャンル別にモニタ４４に表示させる（ステップＳ１４）。
【０１３８】
次いで、ユーザがこの表示内容を見て、公共メタデータの一覧の中から一の所望の公共メタデータを入力部４９を用いて指定すると（ステップＳ１５）、ＣＰＵ４６は、選択された公共メタデータのファイル名、を公共メタデータの一覧の中から取り出す（ステップＳ１６）。また、ＣＰＵ４６は、放送受信録画装置４のハードディスク３６内に格納されている最新日時のローカル情報５７を読取る（ステップＳ１７）。
【０１３９】
ここで、ローカル情報５７は、放送受信録画装置４内に格納されているローカル情報５７のファイル名が“xtv＿20030622＿0930＿1000.lpaf”のように放送局名と録画日時を表しているので、この録画日時の情報に基づいて最新日時順の読取り行う。
【０１４０】
次いで、ＣＰＵ４６は、取得したローカル情報５７のマスターファイルタグがステップＳ１５において指定されたコンテンツメタデータと一致するか否かを判断する（ステップＳ１８）。
【０１４１】
マスターファイルタグが指定されたコンテンツメタデータと一致する場合（ステップＳ１８；ＹＥＳ）には、指定番組が放送受信録画装置４に記録されていることになり（ステップＳ１９）、ＣＰＵ４６は、図１０に示すＢの処理に移行する。
【０１４２】
一方、マスターファイルタグが指定されたコンテンツメタデータと一致しない場合（ステップＳ１８；ＮＯ）には、ＣＰＵ４６は、ステップＳ２０において最新の日時の次の日時におけるローカル情報が存在するか否か判断し、次のローカル情報が存在する場合（ステップＳ２０；ＹＥＳ）には、ステップＳ２１において次の記録されているコンテンツデータにおけるローカル情報を読取り、順次、記録されている全てのコンテンツデータにおけるローカル情報５７のマスターファイルタグが指定されたコンテンツメタデータと一致するか否か判断する（ステップＳ１８）。
【０１４３】
このとき、次のローカル情報が存在しない場合（ステップＳ２０；ＮＯ）には、指定番組が放送受信録画装置４に記録されていないこととなり（ステップＳ２２）、ＣＰＵ４６は、図１０に示すＣＰＵ４６の処理したＡの処理に移行する。
【０１４４】
次いで、Ｂの処理では、ＣＰＵ４６がステップＳ１５において指定されたコンテンツデータに対応するローカル情報５７を内蔵したハードディスク３６から読み出し（ステップＳ２３）、その後、当該コンテンツデータに属する公共メタデータをサーバ３に要求するとともに、当該要求によってサーバ３から送信される公共メタデータを受信する（ステップＳ２４）。
【０１４５】
ここで、ステップＳ２３およびステップＳ２４では、指定番組が録画されている場合、放送受信録画装置４のユーザが独自に使用するローカル情報５７、すなわち＜SourceFile＞（録画ファイル名）、＜LocalFile＞（ローカルファイル）、＜MasterFile＞（番組情報共通ファイル名）、＜BackupDiscTitle＞（光ディスク３９にバックアップした場合にその光ディスクを識別するために付与したタイトル）、および、＜DeletePosition＞（削除部分）を当該放送受信録画装置４のハードディスク３６から読み出した後、ＣＰＵ４６は、ネットワークインタフェース５０を介して、指定されたコンテンツデータが属する公共メタデータの送信をサーバ３に要求する。このとき、サーバ３は、データベース２１から当該公共メタデータを読み出し、通信部１９を介して当該読み出した公共メタデータを放送受信録画装置４に送信するので、当該放送受信録が装置４は送信された公共メタデータを受信することが可能になる。
【０１４６】
次いで、ステップＳ２５において、モニタ４４に取得した公共メタデータにおける素材構成情報５４を表示する。すなわち、ステップＳ２５では、＜Clip Name＞（録画したコンテンツデータのオープニング、CM、本編、予告編などの情報）および＜ClipDuration＞録画したコンテンツデータの相対時間情報を表示する。
【０１４７】
次いで、ステップＳ２６において、取得した公共メタデータに基づいて、評価/統計情報５６を表示する。すなわち、ステップＳ２６では、＜PAFCount＞（放送コンテンツのメタデータのアクセス回数）、＜PAFValueAve＞（評価平均値）、＜PAFCommentNum＞（コメント・評価情報ペア数）、＜PAFComment＞（番組に対するコメント）、＜PAFValue＞（番組に対する評価）の各情報を表示する。
【０１４８】
例えば、上述したように、指定した番組が自分と同じ年齢層の評価やコメントを一覧表示す場合には、放送受信録画装置４のＣＰＵ４６は、後述するように、ユーザ情報５２のAgeタグから放送受信録画装置4のユーザの年齢層を読み取るとともに、評価/統計情報５６の最初のPAFCommentタグを読み取り、当該PAFCommentタグのＩＤ属性から一致するユーザ情報５１を読み取った後、ユーザ情報５２のAgeタグがユーザの年齢層に一致するか否か判定し、一致した場合にPAFCommentタグの内容をモニタ４４に表示する。
【０１４９】
また、ＣＰＵ４６はサーバに登録されている公共メタデータの一覧を受信し、それをもとに各々の公共メタデータを受信し、評価／統計情報５６のPAFValueAveタグ値の大きい順に並べ替えを行い、ユーザ評価の高い順に公共メタデータの一覧を表示したり、評価／統計情報５６のPAFCommentタグの値の大きい順に並べ替えを行い、ユーザのアクセス回数の多い順に公共メタデータの一覧を表示することができる。
【０１５０】
そして、ステップＳ２７において、＜PlayListName＞（再生名称）、＜ClipOrder＞（再生順序）、＜PlayListComment＞（再生コメント）、＜PlayListCount＞（再生カウント）の各情報が記述された再生制御情報５５を利用したコンテンツデータの部分再生を行う。
【０１５１】
具体的には、ＣＰＵ４６は、ハードディスク３６または光ディスク３９に記録されているコンテンツデータを再生制御情報５５によって読み出すとともに、＜ClipOrder＞（再生順序）に記述されている情報に基づいて、当該読み出したコンテンツデータを再生させ、編集後のコンテンツデータまたは当該コンテンツデータの部分再生を行う。
【０１５２】
次いで、ステップＳ２８では、＜Clip Name＞（録画した番組のオープニング、CM、本編、予告編などの情報）および＜ClipDuration＞録画した番組の相対時間情報が記述された素材構成情報５４を利用した頭出しを行う。
【０１５３】
具体的には、モニタ４４に素材構成情報５４、再生制御情報５５を表示し、ユーザが表示した＜PlayListName＞（再生名称）や＜Clip Name＞（録画した番組のオープニング、CM、本編、予告編などの情報）を選択することにより指定したコンテンツデータの部分再生や、指定したコンテンツデータの素材位置への頭出しを行うことができる。
【０１５４】
一方、Ａの処理におけるステップＳ２９では、指定されたコンテンツデータは録画されていないため、サーバ３から公共メタデータを受信する。すなわち、ステップＳ２９では、サーバ３からユーザ情報５２、番組録画情報５３、素材構成情報５４、再生制御情報５５および評価/統計情報５６を受信する。
【０１５５】
次いで、ステップＳ３０では、ステップＳ２５と同様にモニタ４４に素材構成情報５４を表示した後、ステップＳ２６と同様に評価/統計情報５６を表示する（ステップＳ３１）。
【０１５６】
また、本実施形態では、コンテンツデータの評価を示す評価/統計情報５６または当該コンテンツデータの再生・記録を管理するための再生制御情報５５の少なくとも何れか一方を有する公共メタデータを用いることによって記録されているコンテンツデータを提供する放送受信録画装置４であって、コンテンツデータと当該コンテンツデータの属性を示すローカルメタデータとが記録可能なＨＤＤ３５および光ディスク３９と、複数のコンテンツデータの選択に用いる入力部４９と、選択されたコンテンツデータにおける参照データを取得するネットワークＩ／Ｆ５０と、ＨＤＤ３５および光ディスク３９におけるコンテンツデータの記録の有無、参照データおよび属性データに基づいて、当該コンテンツデータの再生制御または当該コンテンツデータにおける評価情報の提供の少なくとも一方を行うＣＰＵ４６と、を備える構成を有している。
【０１５７】
この構成により、本実施形態では、ＨＤＤ３５および光ディスク３９におけるコンテンツデータの記録の有無、参照データおよび属性データに基づいて、当該コンテンツデータを提供する際に、当該コンテンツデータの再生制御または当該コンテンツデータにおける評価情報の提供の少なくとも一方を行う。
【０１５８】
したがって、本実施形態は、公共メタデータを取得すれば、サーバ３からネットワーク２を介して再生制御情報５５または評価/統計情報５６を取得することができるので、コンテンツデータが記録されているときには、当該再生制御情報５５に基づくコンテンツデータの再生、または、コンテンツデータの再生の際に評価・統計情報５６の表示、または、コンテンツデータが記録されていないときは、評価情報のみの提供を行うことができる。
【０１５９】
この結果、評価情報によって当該コンテンツデータに対する感想、評価、注目度を知ることができるとともに、評価を行ったユーザの評価、コメントを公共メタデータに組み込めば、ユーザ間での議論を一層活性化することができるので、当該コメントを記載した他人の情報などに基づいて、コンテンツデータの再生制御を行うことができ、ユーザは、様々な形態によってコンテンツデータの提供を受けることができる。
【０１６０】
また、本実施形態では、ＣＰＵ４６は、ＨＤＤ３５および光ディスク３９に記録されるローカルメタデータに基づいてコンテンツデータの記録の有無を判断するとともに、コンテンツデータが記録されていると判断された場合に、公共メタデータに基づいてコンテンツデータを再生させる構成を有している。
【０１６１】
この構成により、本実施形態は、コンテンツデータが記録されていると判断された場合に、公共メタデータに基づいてコンテンツデータを再生させるので、的確に、再生制御情報に基づいてコンテンツデータを再生することができる。
【０１６２】
また、本実施形態では、ＣＰＵ４６は、ＨＤＤ３５および光ディスク３９に記録される属性データに基づいてコンテンツデータの記録の有無を判断するとともに、コンテンツデータが記録されていると判断された場合に、当該コンテンツデータとともに当該コンテンツデータにおける評価情報を提供する。
【０１６３】
この構成により、本実施形態では、コンテンツデータとともに当該コンテンツデータにおける評価情報を提供することができるので、評価情報によって当該コンテンツデータに対する感想、評価、注目度を知ることができるとともに、評価を行ったユーザの評価、コメントを公共メタデータに組み込めば、ユーザ間での議論を一層活性化することができ、ユーザは、様々な形態によってコンテンツデータの提供を受けることができる。
【０１６４】
また、本実施形態では、ＣＰＵ４６が、ＨＤＤ３５および光ディスク３９に記録されるローカルメタデータに基づいてコンテンツデータの記録の有無を判断するとともに、コンテンツデータが記録されていないと判断された場合に、選択されたコンテンツデータの評価情報のみを提供する構成を有している。
【０１６５】
この構成により、本実施形態は、コンテンツデータが記録されていないと判断された場合に、選択されたコンテンツデータの評価情報のみを提供するので、コンテンツデータが記録されていない場合であっても、番組が録画されているか否かに拘らず、当該コンテンツデータの評価情報だけでも閲覧することができる。
【０１６６】
さらにまた、本実施形態では、公共メタデータ５１に暗号化を施すようにすれば、ユーザ情報５２を保護するとともに、公共メタデータ５１の改竄を未然に防止することができる。そして、番組録画情報５３に再放送情報を記述できるようにすれば、番組を録画し損なったユーザに対しても有益な情報を提供することができる。
【０１６７】
なお、上記実施形態において、録画を光ディスクに行った場合、ローカル情報５７をハードディスク３６ではなく録画を行った光ディスク３９自体に記録し、光ディスク３９を挿入するだけで、そこに録画された番組のローカル情報５７を得られるようにしてもよい。
【０１６８】
また、上記実施形態では、放送コンテンツを提供することを対象としたが、ネットワーク上のストリーム映像、パッケージメディアの映像に対するメタデータに対しても同様に適用することができる。この場合、予め作成したメタデータを映像と同時に配布することも可能である。さらに、例えば、ハードディスク付きＤＶＤ（Digital Versatile Disk）レコーダ、ハードディスクレコーダ、録画機能つきパーソナルコンピュータなどのように、内蔵ハードディスクを備えたテレビジョン放送、ラジオ放送を記録するシステムであれば、本願を適用することができる。
【０１６９】
さらに、図８〜図１０に示すフローチャートに対するプログラムを、フレキシブルディスクまたはハードディスクなどの情報記録媒体に記録させておき、或いは当該プログラムをインターネットなどのネットワークを介して取得した後に記録しておき、これらを汎用のマイクロコンピュータなどにより読み出して実行することにより、当該マイクロコンピュータを実施形態に係るＣＰＵ４６として機能させることが可能である。
【図面の簡単な説明】
【０１７０】
【図１】本実施形態における情報提供装置の概要構成例を示すブロック図である。
【図２】図１のサーバの構成を示すブロック図である。
【図３】図１の放送受信録画装置の構成を示すブロック図である。
【図４】放送コンテンツの一例を示す説明図である。
【図５Ａ】放送コンテンツのメタデータの概略構造を示す説明図である。
【図５Ｂ】放送コンテンツのメタデータの概略構造を示す説明図である。
【図６】図５Ａのメタデータの詳細を示す説明図である。
【図７】図５Ｂのメタデータの詳細を示す説明図である。
【図８】サーバのメタデータの登録処理を示すフローチャートである。
【図９】放送受信録画装置のメタデータ取得処理を示すフローチャートである。
【図１０】放送受信録画装置のメタデータ取得処理を示すフローチャートである。
【符号の説明】
【０１７１】
１    情報提供システム
２    ネットワーク
３    サーバ
４，４ａ〜４ｃ    放送受信録画装置
１１    ＣＰＵ
１３    記憶部
１７    入力部
１８    出力部
１９    通信部
２０    ドライブ
３４    ハードディスクドライブコントローラ
３５    ハードディスクドライブ
３６    ハードディスク
３７    光ディスクコントローラ
３８    光ディスクドライブ
３９    光ディスク
４４    モニタ
４５    スピーカ
４６    ＣＰＵ
４９    入力部
５０    ネットワークインタフェース
５１    公共メタデータ
５２    ユーザ情報
５３    番組録画情報
５４    素材構成情報
５５    再生制御情報
５６    評価/統計情報
５７    ローカル情報
【図１】
2005141847.tif 000003
【図２】
2005141847.tif 000004
【図３】
2005141847.tif 000005
【図４】
2005141847.tif 000006
【図５Ａ】
2005141847.tif 000007
【図５Ｂ】
2005141847.tif 000008
【図６】
2005141847.tif 000009
【図７】
2005141847.tif 000010
【図８】
2005141847.tif 000011
【図９】
2005141847.tif 000012
【図１０】
2005141847.tif 000013